(57)【要約】【課題】緊急の患者についても当初から患者に関するデータをコンピュータで管理することができる診療支援システムを提供する。【解決手段】コンピュータ１０のデータベースには、患者の基本データを含む患者に関するデータ及び患者を識別するための識別データが記憶されている。コンピュータ１０では、患者の基本データとは無関係に緊急用の識別データを予め生成してデータベースに登録することができる。リストバンド２０には、コンピュータ１０で登録された緊急用の識別データが記されている。基本データが分からない患者にはリストバンド２０を取り付け、そのリストバンド２０に記された緊急用の識別データにより当該患者を特定する。これにより、基本データが分からない患者についても、患者に関するデータを緊急用の識別データに関連付けてコンピュータ１０で管理することができる。【選択図】　　　　図１
2004057459.tif 000002
【特許請求の範囲】
【請求項１】
患者の基本データを入力する入力手段と、前記入力手段から入力された前記基本データに対応する患者を識別するための患者識別データを生成する第一の識別データ生成手段と、前記基本データを含む患者に関するデータ及び前記患者識別データを記憶する記憶手段と、患者に関するデータを前記患者識別データに関連付けて管理する管理手段と、前記基本データとは無関係に緊急用の患者識別データを予め生成して前記記憶手段に登録する第二の識別データ生成手段とを有するコンピュータと、
前記基本データの分からない患者の身体に装着するための、前記緊急用の患者識別データが記された複数の装着具と、
を具備することを特徴とする診療支援システム。
【請求項２】
前記装着具は患者の手首に取り付けられるリストバンドであることを特徴とする請求項１記載の診療支援システム。
【発明の詳細な説明】
【０００１】
【発明の属する技術分野】
本発明は、病院等において患者の診療を支援する診療支援システムに関するものである。
【０００２】
【従来の技術】
近年、病院等において、患者に関するデータをデータベースに格納し、電子カルテとしてコンピュータで一元的に管理する電子カルテシステムを構築しようという動きがある。かかるシステムでは、患者の名前、住所等、患者の基本データをコンピュータに入力すると、患者を識別するための識別データが生成される。コンピュータでは、患者に関するデータは識別データに関連付けて管理される。
【０００３】
また、最近、医療検査装置の中には、その動作を開始する前に患者の識別データを入力することを要求するものがある。かかる医療検査装置では、患者の識別データを入力すると、その医療検査装置で得られた検査結果のデータを出力する際に、識別データを検査結果のデータの中に印字したりすることができる。このため、識別データを調べることにより、検査結果のデータがどの患者に対するものであるのかを容易に確認でき、当該検査結果のデータを他の患者のものと間違えてしまうという事態が発生するのを防止することができる。
【０００４】
【発明が解決しようとする課題】
ところで、患者が救急車で緊急に運ばれてきた場合、患者に治療を緊急に施す必要がある。しかし、電子カルテシステムでは、患者の基本データが分からない場合、基本データをコンピュータに入力することができないので、当該患者には識別データが発行されない。このため、緊急の患者に対しては、当初から患者に関するデータをコンピュータで管理することはできず、従来と同様に、患者に関するデータを紙のカルテで管理しなければならない。
【０００５】
また、かかる緊急の患者には識別データが発行されないので、医療検査装置を使用する際に識別データを入力することはできない。このため、識別データを入力せずに、当該医療検査装置を使用することになるが、当然、その検査結果のデータには識別データは付加されない。したがって、検査結果のデータがどの患者に対するものであるかを間違わないように、検査結果のデータの管理には大きな注意を払う必要がある。
【０００６】
本発明は上記事情に基づいてなされたものであり、緊急の患者についても当初から患者に関するデータをコンピュータで管理することができるように患者の診療を支援することができる診療支援システムを提供することを目的とするものである。
【０００７】
【課題を解決するための手段】
上記の目的を達成するための本発明に係る診療支援システムは、患者の基本データを入力する入力手段と、前記入力手段から入力された前記基本データに対応する患者を識別するための患者識別データを生成する第一の識別データ生成手段と、前記基本データを含む患者に関するデータ及び前記患者識別データを記憶する記憶手段と、患者に関するデータを前記患者識別データに関連付けて管理する管理手段と、前記基本データとは無関係に緊急用の患者識別データを予め生成して前記記憶手段に登録する第二の識別データ生成手段とを有するコンピュータと、前記基本データの分からない患者の身体に装着するための、前記緊急用の患者識別データが記された複数の装着具と、を具備することを特徴とするものである。
【０００８】
また、前記装着具は患者の手首に取り付けられるリストバンドであることが望ましい。
【０００９】
【発明の実施の形態】
以下に本発明の一実施形態について図面を参照して説明する。図１は本発明の一実施形態である診療支援システムの概略構成図、図２はその診療支援システムにおけるコンピュータの概略機能ブロック図である。
【００１０】
本実施形態の診療支援システムは、図１に示すように、コンピュータ１０と、患者の手首に装着するための複数のリストバンド（装着具）２０と、複数の医療検査装置３０とを備えるものである。コンピュータ１０と複数の医療検査装置３０とはＬＡＮ等で接続され、ネットワークが構築されている。本実施形態では、かかる診療支援システムを病院に適用した場合について考える。
【００１１】
コンピュータ１０は、患者に関するデータを管理するものであり、図２に示すように、入力装置１１と、表示装置１２と、データベース１３と、第一識別データ生成部１４と、第二識別データ生成部１５と、管理部１６と、通信部１７と、制御部１８とを有する。
【００１２】
入力装置１１は、患者の基本データを入力するためのものである。入力装置１１には、キーボードやマウス等が用いられる。患者の基本データとは、患者を特定するためのデータであり、具体的には、氏名、住所、生年月日、保険証番号等である。また、表示装置１２は、基本データの入力画面や診療結果の入力画面等を表示するものである。
【００１３】
第一識別データ生成部１４は、患者を識別するための識別データを生成するものである。例えば、第一識別データ生成部１４は、入力装置１１から患者の基本データが入力されたときに、当該患者に対する識別データを生成する。
【００１４】
データベース１３には、基本データを含む患者に関するデータ、及び、識別データが格納される。ここで、患者に関するデータには、基本データの他に、診療記録データや医療検査装置３０で得られた検査結果のデータ等が含まれる。検査結果のデータとしては、例えば心電図データ、ＣＴ断層画像データ等がある。
【００１５】
第二識別データ生成部１５は、基本データとは無関係に緊急用の識別データを予め生成してデータベース１３に登録するものである。かかる生成・登録処理は、例えば、医師又は看護婦が表示装置１２に表示された所定の画面上で、緊急用の識別データの生成数等を入力したときに実行される。また、第二識別データ生成部１５で生成・登録された複数の緊急用の識別データは紙、シール等に出力される。そして、その出力された各緊急用の識別データは、リストバンド２０の表面に貼り付けられる。
【００１６】
管理部１６は、患者に関するデータを識別データに関連付けて管理するものである。これにより、患者のカルテの電子化を図り、患者に関するデータをコンピュータ１０で一元的に管理することができる。また、通信部１７は、医療検査装置３０との間でデータを送受するものである。
【００１７】
制御部１８は、コンピュータ１０全体の制御を行う。例えば、制御部１８は、識別データを指定して所定のコマンドが入力されたときに、当該識別データに対応した所定の画面を表示装置１２に表示する制御を行う。ここで表示する画面としては、基本データの入力画面、診療記録データの入力画面、検査結果のデータを示す画面等がある。
【００１８】
医療検査装置３０は、患者の症状を検査するためのものである。特に、この医療検査装置３０は、次の二つの機能を有している。第一の機能は、コンピュータ１０との間でデータを通信する機能である。第二の機能は、医療検査装置３０の動作を開始する前に患者の識別データを入力することを要求し、識別データが入力されたときに、当該医療検査装置３０で得られた検査結果のデータと識別データとを関連付ける機能である。医療検査装置３０の具体例としては、ＣＴ検査装置等を挙げることができる。
【００１９】
リストバンド２０としては、ベルトやゴム製の帯が用いられる。このリストバンド２０の表面には、緊急用の識別データが記されている。本実施形態の診断支援システムでは、かかる緊急用の識別データが記された複数のリストバンド２０を予め用意している。かかるリストバンド２０は、緊急の患者等、基本データが分からない患者に対して使用される。基本データが分からない患者が病院に運び込まれた場合、当然、患者の基本データを入力装置１１から入力することができないので、第一識別データ生成部１４により当該患者の識別データが生成されることはない。このため、本実施形態では、基本データが分からない患者にはリストバンド２０を取り付け、そのリストバンド２０に記された緊急用の識別データにより当該患者を特定することにする。緊急用の識別データは第二識別データ生成部１５により既にデータベース１３に登録されているので、基本データが分からない患者についても、病院に運び込まれた当初から、患者に関するデータを緊急用の識別データに関連付けてコンピュータ１０で管理することができる。
【００２０】
次に、本実施形態の診療支援システムの具体的な適用例を説明する。
【００２１】
いま、患者が救急車で当該病院に緊急に運ばれてきた場合を考える。かかる患者については名前等の基本データが分からないとする。この場合、医師又は看護婦は、リストバンド２０を患者の手首に取り付ける。これ以降、当該患者は、そのリストバンド２０に記された緊急用の識別データにより特定されることになる。
【００２２】
医師は、当該患者に緊急に治療を施す必要があり、その際、所定の医療検査装置３０を使用することがある。この場合、医師は、その医療検査装置３０の動作を開始する前に、患者の有するリストバンド２０に記された緊急用の識別データを認識し、医療検査装置３０に入力する。その後、その医療検査装置３０により患者の検査を行う。このとき、医療検査装置３０では、その検査結果のデータと当該患者の識別データとが関連付けられる。この検査結果のデータは識別データと共にコンピュータ１０に送信される。そして、コンピュータ１０の管理部１６は、その緊急用の識別データに基づいて、その送信された検査結果のデータをデータベース１３に格納して管理する。したがって、本実施形態では、緊急の患者を診療する場合であっても、緊急用の識別データを医療検査装置に入力することにより、医療検査装置３０で得られた検査結果のデータをコンピュータ１０で管理することができる。
【００２３】
また、医師がコンピュータ１０の表示装置１２に表示された所定の画面上で当該緊急用の識別データ等を入力すると、制御部１８は、その緊急用の識別データに対応した診療記録の入力画面を表示装置１２に表示する。そして、医師は、その診療記録の入力画面から当該患者の検査、診断、処置等に関する内容を入力する。したがって、本実施形態では、緊急の患者を診療する場合であっても、緊急用の識別データを指定して診療記録データを入力することにより、診療記録データをコンピュータ１０で管理することができる。
【００２４】
後日、当該患者についての基本データが判明したときには、医師又は看護婦は、コンピュータ１０の表示装置１２に表示された所定の画面上で当該緊急用の識別データ等を入力する。このとき、制御部１８は、その緊急用の識別データに対応した基本データの入力画面を表示装置１２に表示する。そして、医師又は看護婦は、その基本データの入力画面から当該患者の基本データを入力する。したがって、本実施形態では、緊急の患者を診療する場合であっても、基本データが判明した時点で緊急用の識別データを指定して基本データを入力することにより、基本データをコンピュータ１０で管理することができる。
【００２５】
本実施形態の診療支援システムでは、患者の基本データとは無関係に緊急用の識別データを予め生成してコンピュータのデータベースに登録しておくと共に、緊急用の識別データが記されたリストバンドを用意しておく。したがって、基本データが分からない患者についても、リストバンドに記された緊急用の識別データを指定して患者に関するデータを入力することにより、患者に関するデータをコンピュータで管理することができる。
【００２６】
尚、本発明は上記の実施形態に限定されるものではなく、その要旨の範囲内において種々の変形が可能である。
【００２７】
上記の実施形態において、緊急用の識別データをバーコードで表示し、そのバーコードをリストバンドに記しておくようにしてもよい。この場合、医師又は看護婦はバーコード読取装置やバーコード読取装置付の携帯端末等でリストバンドに記されたバーコードを読み取り、緊急用の識別データを認識することになる。
【００２８】
また、上記の実施形態では、緊急用の識別データをリストバンドに記しておく場合について説明したが、リストバンドに限らず、一般に、患者の身体に装着できる装着具に緊急用の識別データを記しておくようにしてもよい。
【００２９】
【発明の効果】
以上説明したように本発明に係る診療支援システムによれば、患者の基本データとは無関係に緊急用の患者識別データを予め生成してコンピュータの記憶手段に登録しておくと共に、緊急用の患者識別データが記された装着具を用意しておく。したがって、基本データが分からない患者についても、装着具に記された緊急用の患者識別データを指定して患者に関するデータを入力することにより、患者に関するデータをコンピュータで管理することができる。
【図面の簡単な説明】
【図１】本発明の一実施形態である診療支援システムの概略構成図である。
【図２】その診療支援システムにおけるコンピュータの概略機能ブロック図である。
【符号の説明】
１０　　コンピュータ
１１　　入力装置
１２　　表示装置
１３　　データベース
１４　　第一識別データ生成部
１５　　第二識別データ生成部
１６　　管理部
１７　　通信部
１８　　制御部
２０　　リストバンド
３０　　医療検査装置
【図１】
2004057459.tif 000003
【図２】
2004057459.tif 000004